(57)【特許請求の範囲】
【請求項１】
プランジャ（１４）と、
前記プランジャを往復移動可能に収容するシリンダ（１０）と、
前記シリンダの前記プランジャが挿入される側とは反対側の端部に設けられ、前記プランジャが往復移動すると燃料を加圧する加圧室（１２０）を形成する加圧室形成部材（１２）と、
前記加圧室において加圧される燃料の量を調整する燃料調整部（４０、５０）と、
前記加圧室において加圧された燃料を吐出する吐出部（６０）と、
前記シリンダ及び前記加圧室形成部材を支持する上ポンプボディ（１８）と、
前記シリンダ及び前記上ポンプボディを支持する下ポンプボディ（１６）と、
前記下ポンプボディに液密に固定され、前記シリンダの少なくとも一部を収容し、前記シリンダの周囲に流入口（３１１、７１１、９１１）から流入する燃料を貯留する主燃料室（３００）を形成するポンプカバー（３０）と、
前記流入口を通って前記ポンプカバーの内部に流入する燃料が前記主燃料室における前記シリンダの径方向の周囲を流れるよう誘導可能な誘導手段（３５、７１、８１、９１、９６）と、
を備えることを特徴とする高圧ポンプ（１、２、３、４、５、６、７）。
【請求項２】
前記ポンプカバーの内部に収容されるダンパ部材（３２）を備えることを特徴とする請求項１に記載の高圧ポンプ。
【請求項３】
前記ポンプカバーは、前記ポンプカバーの内部の燃料を外部に流出する流出口（３６１）を有することを特徴とする請求項１または２に記載の高圧ポンプ。
【請求項４】
前記ポンプカバーの内部を、前記流入口に連通し前記加圧室形成部材の少なくとも一部を収容する第一燃料室（３０１）と前記第一燃料室に連通する第二燃料室（３０２）とに区画する区画部材（３７）を備えることを特徴とする請求項１から３のいずれか一項に記載の高圧ポンプ。
【請求項５】
前記ポンプカバーの内部に連通し前記プランジャの往復移動に伴い容積が変化する副燃料室（１６０）を形成する副燃料室形成部材（１６、１７）を備えることを特徴とする請求項１から４のいずれか一項に記載の高圧ポンプ。
【請求項６】
前記誘導手段は、前記ポンプカバーに収容され、前記ポンプカバーの内壁（３０３）と前記加圧室形成部材との間に設けられ燃料の特定方向の流れを遮蔽する遮蔽部材（３５）であることを特徴とする請求項１から５のいずれか一項に記載の高圧ポンプ。
【請求項７】
前記ポンプカバーの内部に連通し前記プランジャの往復移動に伴い容積が変化する副燃料室を形成する副燃料室形成部材を備え、
前記ポンプカバーの内部と前記副燃料室とを連通する連通路（１６５）の開口は、前記遮蔽部材からみて前記流入口側に形成されることを特徴とする請求項６に記載の高圧ポンプ。
【請求項８】
前記ポンプカバーは、前記ポンプカバーの内部の燃料を外部に流出する流出口（３６１）を有し、
前記遮蔽部材は、前記ポンプカバーの前記流入口が形成される部位と前記ポンプカバーの前記流出口が形成される部位との間の前記内壁と前記加圧室形成部材との間に設けられることを特徴とする請求項６に記載の高圧ポンプ。
【請求項９】
前記ポンプカバーの内部に連通し前記プランジャの往復移動に伴い容積が変化する副燃料室を形成する副燃料室形成部材を備え、
前記ポンプカバーの内部と前記副燃料室とを連通する連通路（１６４）の開口は、前記遮蔽部材からみて前記流出口側に形成されることを特徴とする請求項８に記載の高圧ポンプ。
【請求項１０】
前記誘導手段は、前記ポンプカバーの外部において前記流入口に連通する外部流入通路（７１２）を形成する外部流入通路形成部材（７１）であって、
前記外部流入通路形成部材の中心軸（ＣＡ７１）は、前記シリンダの中心軸（ＣＡ１０）に対してねじれの位置にあることを特徴とする請求項１から５のいずれか一項に記載の高圧ポンプ。
【請求項１１】
前記外部流入通路は、前記シリンダの中心軸上の点を中心とする仮想円（ＶＣ１０）の接線方向から前記ポンプカバーの内部に燃料を流入することを特徴とする請求項１０に記載の高圧ポンプ。
【請求項１２】
前記誘導手段は、前記ポンプカバーの内部において前記流入口に連通する内部流路（８１１）を形成する内部流路形成部材（８１）であって、
前記内部流路形成部材が前記ポンプカバーの内部側に有する前記内部流路の開口（８１３）は、前記内部流路形成部材からみて前記シリンダの中心軸の方向とは異なる方向に向かって形成されていることを特徴とする請求項１から５のいずれか一項に記載の高圧ポンプ。
【請求項１３】
前記燃料調整部は、前記ポンプカバーの内部の燃料を吸入し前記加圧室に導く吸入通路（１８４）を有し、
前記誘導手段は、前記加圧室形成部材を挟んで前記吸入通路とは反対側に設けられる前記流入口と連通する外部流入通路（９１２）を形成する外部流入通路形成部材（９１）であることを特徴とする請求項１から５のいずれか一項に記載の高圧ポンプ。
【請求項１４】
前記誘導手段は、前記ポンプカバーの内部であって前記加圧室形成部材の径外方向に設けられ螺旋状部材（９６）であることを特徴とする請求項１から５のいずれか一項に記載の高圧ポンプ。
【発明の詳細な説明】
【技術分野】
【０００１】
本発明は、高圧ポンプに関する。
【背景技術】
【０００２】
従来、燃料タンクに貯留されている燃料を高圧燃料用噴射弁及び低圧燃料用噴射弁の少なくとも一方に供給する燃料供給システムが知られている。当該燃料供給システムでは、低圧ポンプが吐出する比較的低圧の燃料（以下、「低圧燃料」という）は、一旦高圧ポンプに供給される。高圧ポンプに供給された低圧燃料の一部は、車両制御用ＥＣＵの指令に応じて所望の圧力まで加圧されたのち高圧燃料用噴射弁に供給される一方、その他の低圧燃料は高圧ポンプによって加圧されることなく低圧燃料用噴射弁にも供給される。
【０００３】
高圧ポンプは、プランジャ、燃料を加圧する加圧室を形成する加圧室形成部材、プランジャを往復移動可能に収容するシリンダ、加圧室において加圧される燃料の量を調整する燃料調整部、及び、加圧室において加圧された燃料を高圧燃料用噴射弁に吐出する吐出部などを備える。例えば、特許文献１には、加圧室に吸入される前の燃料を一旦貯留する燃料室を有し、当該燃料室に貯留されている燃料を低圧燃料用噴射弁に供給する高圧ポンプが記載されている。
【先行技術文献】
【特許文献】
【０００４】
【特許文献１】特表２００６−５０４９０３号公報
【発明の概要】
【発明が解決しようとする課題】
【０００５】
しかしながら、特許文献１に記載の高圧ポンプでは、燃料が高圧燃料用噴射弁または低圧燃料用噴射弁のいずれに供給されるかにかかわりなく、内燃機関が有するクランクシャフトの回転運動によってプランジャがシリンダの内部を往復移動する。このため、高圧ポンプの内部にはプランジャとシリンダとの摩擦による熱が蓄積する。特許文献１に記載の高圧ポンプでは、高圧燃料用噴射弁に燃料を供給するとき、加圧室を通る燃料によって加圧室形成部材やシリンダなどを冷却することができるが、低圧燃料用噴射弁に燃料を供給するとき、燃料室にのみ燃料が流れるため、加圧室形成部材やシリンダなどを十分に冷却できない。このため、プランジャとシリンダとの摩擦熱によって加圧室に吸入される燃料が気化し、加圧室において燃料を所望の圧力まで加圧できないおそれがある。また、シリンダを十分に冷却できないため、シリンダとプランジャとの摺動面における潤滑の役割をなす液体状の燃料が気化する。このため、当該摺動面において油膜切れが起こり、シリンダとプランジャとが焼きつくおそれがある。
【０００６】
本発明は、上述の点に鑑みてなされたものであり、その目的は、燃料を所望の圧力まで確実に加圧しつつシリンダとプランジャとの焼きつきを防止する高圧ポンプを提供することにある。
【課題を解決するための手段】
【０００７】
本発明は、高圧ポンプであって、プランジャ、シリンダ、加圧室形成部材、燃料調整部、吐出部、上ポンプボディ、下ポンプボディ、ポンプカバー、及び、誘導手段を備える。プランジャは、シリンダに往復移動可能に収容されている。加圧室形成部材は、シリンダのプランジャが挿入される側とは反対側の端部に設けられ、プランジャが往復移動すると燃料を加圧する加圧室を形成する。燃料調整部は、加圧室において加圧される燃料の量を調整する。吐出部は、加圧室において加圧された燃料を吐出する。上ポンプボディは、シリンダ及び加圧室形成部材を支持する。下ポンプボディは、シリンダ及び上ポンプボディを支持する。ポンプカバーは、下ポンプボディに液密に固定されることでシリンダの少なくとも一部を収容しシリンダの周囲に流入口をから流入する燃料を貯留する主燃料室を形成する。本発明の高圧ポンプは、流入口を通ってポンプカバーの内部に流入する燃料が主燃料室におけるシリンダの径方向の周囲を流れるよう誘導可能な誘導手段を備えることを特徴とする。
【０００８】
本発明の高圧ポンプでは、ポンプカバーの内部に流入した燃料は誘導手段によって加圧室形成部材の周囲を流れるよう誘導される。ポンプカバーに収容されているシリンダには、プランジャの往復移動によって摩擦熱が発生する。シリンダの周囲を流れる比較的低温の低圧燃料は、この摩擦熱をシリンダから奪い、シリンダ及びシリンダの端部に設けられる加圧室形成部材を効率的に冷却する。これにより、シリンダとプランジャとの摩擦熱による燃料の気化を防止し、加圧室において燃料を所望の圧力まで確実に加圧することができる。
【０００９】
また、加圧室形成部材を燃料によって効率的に冷却することができるため、シリンダとプランジャとの摺動面を流れる燃料が摩擦熱によって気化することを防止できる。これにより、シリンダとプランジャとの摺動面において液体状の燃料が潤滑の役割をなし、シリンダとプランジャとの焼きつきを防止することができる。
【図面の簡単な説明】
【００１０】
【図１】本発明の第一実施形態による高圧ポンプの断面図である。
【図２】図１のＩＩ−ＩＩ線断面図である。
【図３】本発明の第一実施形態による高圧ポンプのポンプボディ及び板状部材の斜視図である。
【図４】本発明の第二実施形態による高圧ポンプの断面図である。
【図５】本発明の第三実施形態による高圧ポンプの断面図である。
【図６】本発明の第四実施形態による高圧ポンプの断面図である。
【図７】図６のＶＩＩ−ＶＩＩ線断面図である。
【図８】図６のＶＩＩＩ−ＶＩＩＩ線断面図である。
【図９】本発明の第四実施形態による高圧ポンプのポンプボディ、区画部材及び板状部材の斜視図である。
【図１０】本発明の第五実施形態による高圧ポンプの断面図である。
【図１１】本発明の第六実施形態による高圧ポンプの断面図である。
【図１２】本発明の第七実施形態による高圧ポンプの断面図である。
【図１３】本発明の第八実施形態による高圧ポンプが備える螺旋状部材の斜視図である。
【発明を実施するための形態】
【００１１】
以下、本発明の複数の実施形態について図面に基づいて説明する。
【００１２】
（第一実施形態）
第一実施形態による高圧ポンプ１は、図示しない燃料タンクから汲み上げ低圧ポンプが吐出する比較的低圧の燃料（以下、「低圧燃料」という）を比較的高圧に加圧し、図示しない高圧用デリバリパイプへ吐出する。高圧用デリバリパイプに蓄圧された燃料は、高圧用デリバリパイプに接続する比較的高圧の燃料（以下、「高圧燃料」という）を噴射可能な高圧燃料用噴射弁から内燃機関の気筒内に噴射される。
【００１３】
高圧ポンプ１は、図１に示すように、シリンダ１０、加圧室形成部材１２、プランジャ１４、下ポンプボディ１６、上ポンプボディ１８、ポンプカバー３０、「燃料調整部」としての吸入弁部４０及び電磁駆動部５０、並びに、「吐出部」としての吐出弁部６０などを備えている。
【００１４】
シリンダ１０は、筒状に形成されている。シリンダ１０の内部には柱状のプランジャ１４が往復移動可能に収容されている。
加圧室形成部材１２は、シリンダ１０のプランジャ１４が挿入される側とは反対側の端部にシリンダ１０の一端を塞ぐよう設けられている。第一実施形態による高圧ポンプ１では、加圧室形成部材１２は、シリンダ１０と一体に形成されている。加圧室形成部材１２は、プランジャ１４の往復移動によって燃料を加圧する加圧室１２０、加圧室１２０に連通しつつ径方向の一方に開口する吸入孔１２１、加圧室１２０に連通しつつ他方に開口する吐出孔１２２などを有する。
シリンダ１０及び加圧室形成部材１２の径外方向の外壁１０１には、下ポンプボディ１６及び上ポンプボディ１８が設けられる。以下、下ポンプボディ１６及び上ポンプボディ１８を総称して「ポンプボディ」という。
【００１５】
下ポンプボディ１６は、略筒状に形成されている金属部材である。下ポンプボディ１６は、鍔部１６１、上筒部１６２、下筒部１６３などから形成されている。鍔部１６１、上筒部１６２及び下筒部１６３は、一体に形成されている。
【００１６】
鍔部１６１は、上筒部１６２及び下筒部１６３の径方向外側に径外方向に延びるよう形成されている環状の部位である。鍔部１６１の径方向外側の端部にはポンプカバー３０の端部が固定されている。鍔部１６１は、下筒部１６３及び後述するオイルシールホルダ１７との間にプランジャ１４の往復移動に伴い容積が変化する副燃料室１６０を形成する。鍔部１６１には、副燃料室１６０とポンプカバー３０の内部とを連通する連通路１６４が形成されている。下ポンプボディ１６及びオイルシールホルダ１７は、特許請求の範囲に記載の「副燃料室形成部材」に相当する。
【００１７】
上筒部１６２は、鍔部１６１の中心軸方向の一方の側、具体的には、鍔部１６１の加圧室形成部材１２側に設けられる筒状の部位である。上筒部１６２にはシリンダ１０が挿通されている。シリンダ１０は、圧入などによって上筒部１６２に固定されている。
【００１８】
下筒部１６３は、鍔部１６１に対して上筒部１６２とは反対側に設けられている。下筒部１６３は、図示しない内燃機関に設けられた取付穴に取り付け可能である。下筒部１６３の鍔部１６１と接続する側とは反対側の端部には、下筒部１６３の内燃機関側の開口を塞ぐようオイルシールホルダ１７が設けられている。オイルシールホルダ１７の略中央には、プランジャ１４が挿通されている。オイルシールホルダ１７には、第一スプリング１５の一端が当接している。第一スプリング１５の他端は、プランジャ１４の下端部に固定されたスプリングシート１９に当接している。第一スプリング１５は、プランジャ１４が内燃機関の図示しないカムシャフトに当接するよう付勢する。プランジャ１４は、カムシャフトのプロファイルに沿ってシリンダ１０の軸方向に往復移動する。
【００１９】
上ポンプボディ１８は、略筒状に形成され、上筒部１６２の鍔部１６１と接続する側とは反対側の端部に当接するよう設けられている。上ポンプボディ１８は、略中央に貫通孔１８１を有している。貫通孔１８１には、加圧室形成部材１２及びシリンダ１０の加圧室形成部材１２と接続する側の端部が挿入されている。また、上ポンプボディ１８は、貫通孔１８１に連通する吸入弁部取付孔１８２及び吐出弁部取付孔１８３を有する。吸入弁部取付孔１８２は、貫通孔１８１の中心軸に対して略垂直な方向から貫通孔１８１に連通するよう形成されている。吐出弁部取付孔１８３は、貫通孔１８１の中心軸に対して略垂直な方向であって、吸入弁部取付孔１８２が形成される側とは反対側から貫通孔１８１に連通するよう形成されている。上ポンプボディ１８は、後述する吸入弁部４０及び吐出弁部６０を支持する。
【００２０】
ポンプカバー３０は、有底筒状に形成されている。ポンプカバー３０の開口側の端部は、下ポンプボディ１６に液密に固定されている。ポンプカバー３０の内部には、加圧室１２０に吸入される前の燃料が一旦貯留される主燃料室３００が形成される。ポンプカバー３０には、燃料流入部３１が設けられる（図２参照）。燃料流入部３１が有する燃料通路３１２は、ポンプカバー３０の外壁に形成される流入口３１１と連通する。
【００２１】
ポンプカバー３０の内部には、「ダンパ部材」としてのパルセーションダンパ３２（図１参照）及び「誘導手段」及び「遮蔽部材」としての板状部材３５（図２参照）が設けられる。
パルセーションダンパ３２は、２枚のダイアフラム３２１、３２２、上固定部材３３、下固定部材３４などから形成されている。パルセーションダンパ３２は、上ポンプボディ１８とポンプカバー３０との間に設けられている。２枚のダイアフラム３２１、３２２は、外縁部が上固定部材３３と下固定部材３４に挟まれるよう設けられている。２枚のダイアフラム３２１、３２２は、外縁が接合され内側の密閉空間に所定圧の気体が密封されている。２枚のダイアフラム３２１、３２２は、主燃料室３００の燃料の圧力変化に応じて、中央部を中心として板厚方向に弾性変形することによって主燃料室３００の燃料の圧力脈動を低減する。
【００２２】
板状部材３５は、図２に示すように、上ポンプボディ１８の外壁１８５とポンプカバー３０の内壁３０３との間であって、流入口３１１の近傍に設けられている。板状部材３５は、外壁１８５及び内壁３０３に固定されている。板状部材３５は、板状部材３５によって区画される領域Ａ３０と領域Ｂ３０との間の「特定の方向」としての領域Ａ３０から領域Ｂ３０への直接の燃料の流れを遮蔽し、燃料が図２に示す矢印Ｆのように流れるよう誘導する。
【００２３】
吸入弁部４０は、吸入弁ボディ４１、吸入弁座形成部材４２、吸入弁部材４３、及び、ストッパ部材４４などを有する。
吸入弁ボディ４１は、筒状に形成され、上ポンプボディ１８の吸入弁部取付孔１８２を形成する内壁に固定される。吸入弁ボディ４１の内側には、筒状の吸入弁座形成部材４２が設けられている。吸入弁座形成部材４２の内側に形成されている吸入室４５は、上ポンプボディ１８が形成する複数の吸入通路１８４を通じて主燃料室３００と連通している。吸入弁座形成部材４２は、吸入室４５の加圧室１２０側の開口に弁座４２１を有している。
【００２４】
吸入弁部材４３は、弁座４２１の加圧室１２０側に弁座４２１に当接または離間可能なよう設けられている。吸入弁部材４３は、弁座４２１と離間するとき、ストッパ部材４４に当接可能である。
ストッパ部材４４と吸入弁部材４３との間には、第二スプリング４７が設けられる。第二スプリング４７は、吸入弁部材４３が弁座４２１に当接するよう吸入弁部材４３を付勢する。
【００２５】
電磁駆動部５０は、フランジ５１、固定コア５２、可動コア５３、ロッド５４、コイル５５、及び、第三スプリング５６などを有する。
フランジ５１は、吸入弁ボディ４１の外壁に固定される。吸入弁ボディ４１の内側に可動コア５３が往復移動可能に設けられる。可動コア５３の中央にはロッド５４が固定されている。吸入弁ボディ４１の内側に固定されたガイド部材５７は、ロッド５４を軸方向に往復移動可能に支持する。第三スプリング５６は、吸入弁部材４３が弁座４２１から離間するようロッド５４を加圧室１２０の方向に付勢している。
【００２６】
可動コア５３の加圧室１２０側とは反対側には、固定コア５２が設けられる。固定コア５２の径方向外側には、コイル５５が設けられる。コネクタ５８の端子５８１を通じてコイル５５に電力が供給されると、可動コア５３、固定コア５２、フランジ５１、ヨーク５９などに磁気回路が形成され、可動コア５３とロッド５４は、第三スプリング５６の付勢力に抗して固定コア５２の方向に磁気吸引される。一方、コイル５５への電力の供給が停止すると、磁気回路が消滅し、可動コア５３とロッド５４は、第三スプリング５６によって加圧室１２０の方向に付勢される。
【００２７】
吐出弁部６０は、吐出弁ボディ６１、中間部材６２、吐出弁部材６３、第四スプリング６４、ストッパ部材６５、リリーフ弁部材６６、第五スプリング６７、スプリングホルダ６８などを有する。
【００２８】
吐出弁ボディ６１は、略筒状に形成されている金属部材である。吐出弁ボディ６１は、上ポンプボディ１８の吐出弁部取付孔１８３を形成する内壁に固定されている。吐出弁ボディ６１の内部には、中間部材６２、吐出弁部材６３、第四スプリング６４、ストッパ部材６５、リリーフ弁部材６６、第五スプリング６７、スプリングホルダ６８などが収容されている。
【００２９】
中間部材６２は、吐出弁ボディ６１の内部に圧入固定されている金属部材である。中間部材６２は、吐出弁ボディ６１の加圧室１２０側と吐出弁ボディ６１の加圧室１２０とは反対側とを連通する連通路６２１、６２２を有する。連通路６２１の加圧室１２０とは反対側の開口の縁部には、吐出弁部材６３が当接可能な吐出弁座６２３が形成されている。また、連通路６２２の加圧室１２０側の開口の縁部には、リリーフ弁部材６６が当接可能なリリーフ弁座６２４が形成されている。
【００３０】
吐出弁部材６３は、中間部材６２の加圧室１２０とは反対側に往復移動可能に設けられている。吐出弁部材６３は、吐出弁部材６３を吐出弁座６２３に当接するよう付勢する第四スプリング６４の一端を支持する。吐出弁部材６３は、吐出弁座６２３に当接すると連通路６２１を閉塞し、吐出弁座６２３から離間すると連通路６２１を開放する。
【００３１】
ストッパ部材６５は、有底筒状に形成され、吐出弁部材６３の加圧室１２０とは反対側に設けられている。ストッパ部材６５は、吐出弁部材６３を吐出弁座６２３に当接するよう付勢する第四スプリング６４の他端を支持している。ストッパ部材６５は、吐出弁部材６３の往復移動を案内しつつ、吐出弁部材６３の加圧室１２０とは反対側への移動可能な位置を規制する。
【００３２】
リリーフ弁部材６６は、中間部材６２の加圧室１２０側に往復移動可能に設けられている。リリーフ弁部材６６は、リリーフ弁部材６６をリリーフ弁座６２４に当接するよう付勢する第五スプリング６７の一端を支持する。リリーフ弁部材６６は、リリーフ弁座６２４に当接または離間する球体を有する。当該球体がリリーフ弁座６２４に当接すると連通路６２２を閉塞し、リリーフ弁座６２４から離間すると連通路６２２を開放する。
【００３３】
スプリングホルダ６８は、有底筒状に形成され、リリーフ弁部材６６の加圧室１２０側に設けられている。スプリングホルダ６８は、第五スプリング６７の他端を支持する。スプリングホルダ６８は、径方向に形成される複数の連通路６８１を有する。連通路６８１は、スプリングホルダ６８の内部と外部とを連通する。
【００３４】
次に、高圧ポンプ１の作動について説明する。
（１）吸入行程
カムシャフトの回転によってプランジャ１４が上死点から下死点に向かって下降すると、加圧室１２０の容積が増加し、加圧室１２０の燃料が減圧される。このとき、吐出弁部６０では、吐出弁部材６３が吐出弁座６２３に当接し連通路６２２を閉塞する。一方、吸入弁部４０では、吸入弁部材４３が加圧室１２０と吸入室４５との差圧により第二スプリング４７の付勢力に抗して加圧室１２０側に移動し、開弁状態となる。吸入弁部４０の開弁により、主燃料室３００の燃料は、吸入通路１８４及び吸入室４５を通り、加圧室１２０に流入する。
【００３５】
（２）調量行程
カムシャフトの回転によってプランジャ１４が下死点から上死点に向かって上昇すると、加圧室１２０の容積が減少する。このとき、コイル５５への電力の供給は所定の時期まで停止しているため、ロッド５４は、第三スプリング５６の付勢力により吸入弁部材４３を加圧室１２０側へ押圧する。これにより、吸入弁部４０は開弁状態を維持する。吸入弁部４０の開弁によって加圧室１２０と主燃料室３００とは連通した状態が維持されるため、一旦加圧室１２０に吸入された低圧燃料が主燃料室３００へ戻され、加圧室１２０の燃料の圧力は上昇しない。
【００３６】
プランジャ１４が下死点から上死点に向かって上昇する途中の所定の時刻にコイル５５に電力が供給される。電力が供給されるコイル５５が発生する磁界によって固定コア５２と可動コア５３との間に磁気吸引力が発生する。発生する磁気吸引力が第二スプリング４７の付勢力と第三スプリング５６の付勢力との差よりも大きくなると、可動コア５３は、固定コア５２側へ移動する。これにより、吸入弁部材４３に対するロッド５４の押圧力が解除される。
【００３７】
ロッド５４の押圧力が解除された吸入弁部材４３は、第二スプリング４７の付勢力、及び、加圧室１２０から吸入室４５へ排出される低圧燃料の動圧によってロッド５４の動作に追従して閉弁方向へ移動し、弁座４２１に当接する。これにより、加圧室１２０と吸入室４５とが遮断される。
【００３８】
（３）吐出行程
吸入弁部材４３が閉弁した後、加圧室１２０の燃料の圧力は、プランジャ１４の上昇とともに高くなる。加圧室１２０の燃料の圧力によって吐出弁部材６３に作用する力が燃料出口側の燃料の圧力によって吐出弁部材６３に作用する力と第四スプリング６４の付勢力との和よりも大きくなると、吐出弁部材６３が開弁する。これにより、加圧室１２０で加圧された高圧燃料が高圧燃料用噴射弁に向けて吐出される。
なお、吐出行程の途中でコイル５５への電力の供給が停止される。加圧室１２０の燃料の圧力が吸入弁部材４３に作用する力は、第三スプリング５６の付勢力よりも大きいので、吸入弁部材４３は閉弁状態を維持する。
高圧ポンプ１は、このようにして、吸入行程、調量行程、及び、吐出行程を繰り返し、内燃機関に必要な量の燃料を加圧し吐出する。
【００３９】
第一実施形態による高圧ポンプ１では、加圧室１２０に吸入される燃料は、最初に流入口３１１からポンプカバー３０の内部である主燃料室３００に流入する。流入口３１１の近傍には、板状部材３５が設けられている。流入口３１１から主燃料室３００に流入する燃料は、板状部材３５によって図２に示す矢印Ｆのように、シリンダ１０の周囲を流れるよう誘導される。主燃料室３００に収容されているシリンダ１０は、プランジャ１４の往復移動によって摩擦熱が発生するため、比較的高温となる。そこで、第一実施形態による高圧ポンプ１では、シリンダ１０や加圧室形成部材１２を収容するポンプボディの周囲を流れる比較的低温の低圧燃料によってシリンダ１０などに蓄積される摩擦熱を奪い、シリンダ１０や加圧室形成部材１２などを効率的に冷却する。これにより、シリンダ１０とプランジャ１４との摩擦熱によって加圧室１２０などの燃料が気化することを防止し、加圧室１２０において燃料を所望の圧力まで確実に加圧することができる。
【００４０】
また、従来、高圧ポンプでは、シリンダとプランジャとの摺動面に沿って加圧室から副燃料室に向かって燃料が漏れ出している。この漏れ出している液体状の燃料は、シリンダとプランジャとの摺動面における潤滑の役割をなしており、当該潤滑面の燃料が気化すると、シリンダとプランジャとが焼きつくおそれがある。
第一実施形態による高圧ポンプ１では、ポンプボディの周囲を流れる低圧燃料によってシリンダ１０などを効率的に冷却するため、シリンダ１０とプランジャ１４との摺動面に沿って流れる液体状の燃料の気化を防止することができる。これにより、シリンダ１０とプランジャ１４との焼きつきを防止し、高圧ポンプ１の破損を防止することができる。
【００４１】
第一実施形態による高圧ポンプ１は、パルセーションダンパ３２を備えている。これにより、主燃料室３００の燃料の圧力脈動を低減することができる。
【００４２】
また、第一実施形態による高圧ポンプ１は、副燃料室１６０を有している。これにより、主燃料室３００の燃料の圧力脈動を低減するとともに、加圧室１２０に供給可能な燃料の量を多くし、高圧ポンプ１の吸入効率を向上することができる。
【００４３】
（第二実施形態）
次に、本発明の第二実施形態による高圧ポンプを図４に基づいて説明する。第二実施形態は、ポンプカバーに燃料流出部が設けられている点が第一実施形態と異なる。なお、第一実施形態と実質的に同一の部位には同一の符号を付し、説明を省略する。
【００４４】
第二実施形態による高圧ポンプ２は、低圧ポンプから供給される低圧燃料を加圧室１２０において加圧することなく図示しない低圧デリバリパイプに流出する燃料流出部３６がポンプカバー３０に設けられている。すなわち、高圧ポンプ２は、高圧燃料を噴射可能な高圧燃料用噴射弁、及び、低圧燃料を噴射可能な低圧燃料用噴射弁のそれぞれに燃料を供給可能に設けられている。
【００４５】
燃料流出部３６は、低圧デリバリパイプの内部に連通する流出通路３６２を形成する。流出通路３６２は、ポンプカバー３０の外壁に形成される流出口３６１を介して主燃料室３００と連通する。
【００４６】
板状部材３５は、流入口３１１が形成される部位と流出口３６１が形成される部位との間のポンプカバー３０の内壁３０３及びポンプボディの外壁１８５に固定されている。これにより、流入口３１１から主燃料室３００に流入する低圧燃料は、図２に示す矢印Ｆのように、シリンダ１０や加圧室形成部材１２を収容するポンプボディの周囲を流れるよう誘導される。誘導される低圧燃料の一部は、高圧ポンプ２によって加圧されることなく流出口３６１を通って低圧デリバリパイプに供給される。
【００４７】
また、主燃料室３００と副燃料室１６０とを連通する連通路１６４は、図４に示すように、板状部材３５からみて流出口３６１側であって流出口３６１の近傍に形成されている。
【００４８】
第二実施形態による高圧ポンプ２では、低圧燃料用噴射弁に供給される燃料は、一旦高圧ポンプ２に供給される。高圧ポンプ２に供給された低圧燃料は、主燃料室３００においてシリンダ１０や加圧室形成部材１２を収容するポンプボディの周囲を流れる。ポンプボディの周囲を流れた低圧燃料は、一部が吸入通路１８４を通って加圧室１２０に吸入され、その他は流出口３６１を通って低圧燃料用噴射弁に向けて流出する。これにより、高圧ポンプ２が高圧燃料用噴射弁に燃料を供給しないときでもプランジャ１４の往復移動によって比較的高温となるシリンダ１０などを低圧燃料用噴射弁に供給される低圧燃料によって冷却することができる。したがって、第二実施形態は、第一実施形態と同じ効果を奏するとともに、シリンダ１０などをさらに効率的に冷却することができる。
【００４９】
また、高圧ポンプ２では、主燃料室３００と副燃料室１６０とを連通する連通路１６４が板状部材３５からみて流出口３６１側であって流出口３６１の近傍に形成されている。これにより、副燃料室１６０の燃料が比較的高温である場合、連通路１６４を通って主燃料室３００に流入する副燃料室１６０の燃料は、速やかに流出口３６１を通ってポンプカバー３０の外部に流出することができる。したがって、主燃料室３００の燃料の温度が副燃料室１６０の燃料によって上昇することを防止し、シリンダ１０などを確実に冷却することができる。
【００５０】
（第三実施形態）
次に、本発明の第三実施形態による高圧ポンプを図５に基づいて説明する。第三実施形態は、主燃料室と副燃料室とを連通する連通路が形成される位置が第二実施形態と異なる。なお、第二実施形態と実質的に同一の部位には同一の符号を付し、説明を省略する。
【００５１】
第三実施形態による高圧ポンプ３では、主燃料室３００と副燃料室１６０とを連通する連通路１６５は、図５に示すように、板状部材３５からみて流入口３１１側であって流入口３１１の近傍に形成されている。
【００５２】
第三実施形態による高圧ポンプ３では、低圧燃料用噴射弁に供給される低圧燃料は、主燃料室３００においてシリンダ１０や加圧室形成部材１２を収容するポンプボディの周囲を流れる。ポンプボディの周囲を流れた低圧燃料は、一部が吸入通路１８４を通って加圧室１２０に吸入され、その他は流出口３６１を通って低圧燃料用噴射弁に向けて流出する。これにより、第三実施形態は、第一実施形態と同じ効果を奏する。
【００５３】
また、高圧ポンプ３では、主燃料室３００と副燃料室１６０とを連通する連通路１６５が板状部材３５からみて流入口３１１側であって流入口３１１の近傍に形成されている。これにより、副燃料室１６０の燃料が比較的低温である場合、連通路１６５を通って主燃料室３００に流入する副燃料室１６０の燃料も利用してシリンダ１０などを冷却することができる。したがって、シリンダ１０をさらに効率的に冷却することができる。
【００５４】
（第四実施形態）
次に、本発明の第四実施形態による高圧ポンプを図６〜９に基づいて説明する。第四実施形態は、ポンプカバーの内部を区画する区画部材を収容している点が第二実施形態と異なる。なお、第二実施形態と実質的に同一の部位には同一の符号を付し、説明を省略する。
【００５５】
第四実施形態による高圧ポンプ４では、ポンプカバー３０の内部に「区画部材」としての環状部材３７が設けられている。
環状部材３７は、略円環状の平板部材であって、図６に示すように、上ポンプボディ１８のパルセーションダンパ３２側の端部に支持されている。環状部材３７は、ポンプカバー３０の内部を流入口３１１及び流出口３６１に連通する第一燃料室３０１、及び、パルセーションダンパ３２が収容される第二燃料室３０２に区画する。第一燃料室３０１と第二燃料室３０２とは、環状部材３７の径方向外側の端部とポンプカバー３０の内壁３０３との間の隙間などを介して連通している。第一燃料室３０１には、上ポンプボディ１８、下ポンプボディ１６の一部、シリンダ１０の一部、加圧室形成部材１２などが収容されている。第二燃料室３０２には、パルセーションダンパ３２が収容されている。
【００５６】
第四実施形態による高圧ポンプ４では、流入口３１１から第一燃料室３０１に流入する低圧燃料は、板状部材３５によってポンプボディの周囲を図８の矢印Ｆのように流れつつ、環状部材３７によって第二燃料室３０２への流れが一部遮断されるため、第一燃料室３０１に比較的長い時間滞留する。これにより、第四実施形態は、第一実施形態と同じ効果を奏するとともに、比較的長い時間滞留する低温の低圧燃料によってシリンダ１０などをさらに効率的に冷却することができる。
【００５７】
（第五実施形態）
次に、本発明の第五実施形態による高圧ポンプを図１０に基づいて説明する。第五実施形態は、板状部材を備えていない点及び流入通路形成部材が取り付けられる方向が第二実施形態と異なる。なお、第二実施形態と実質的に同一の部位には同一の符号を付し、説明を省略する。
【００５８】
第五実施形態による高圧ポンプ５は、「誘導手段」及び「外部流入通路形成部材」としての燃料流入部７１を備える。燃料流入部７１は、ポンプカバー３０が有する流入口７１１に連通する外部流入通路７１２を形成する。
【００５９】
燃料流入部７１は、その中心軸ＣＡ７１がシリンダ１０の中心軸ＣＡ１０に対してねじれの位置にあるよう設けられている。具体的には、図１０に示すように、シリンダ１０の中心軸ＣＡ１０上の点を中心とする仮想円ＶＣ１０を仮定すると、燃料流入部７１の中心軸ＣＡ７１は、仮想円ＶＣ１０の接線方向に延びるよう形成されている。また、流入口７１１を形成する内壁は、中心軸ＣＡ７１に略平行に形成されている。
【００６０】
第五実施形態による高圧ポンプ５では、外部流入通路７１２を流れる低圧燃料は流入口７１１を通って主燃料室３００に流入する。外部流入通路７１２を流れる低圧燃料は、図１０の矢印Ｆに示すように、仮想円ＶＣ１０の接線方向に流れるよう誘導されるため、主燃料室３００においてポンプボディの周囲を流れる。これにより、第五実施形態は、第一実施形態と同じ効果を奏する。
【００６１】
（第六実施形態）
次に、本発明の第六実施形態による高圧ポンプを図１１に基づいて説明する。第六実施形態は、板状部材を備えていない点及びポンプカバーの内部に流路形成部材を備える点が第二実施形態と異なる。なお、第二実施形態と実質的に同一の部位には同一の符号を付し、説明を省略する。
【００６２】
第六実施形態による高圧ポンプ６には、「誘導手段」としての内部流路形成部材８１がポンプカバー３０の内部に設けられている。
内部流路形成部材８１は、ポンプカバー３０の流入口３１１が形成されている部位の内部側に設けられている。内部流路形成部材８１が形成する内部流路８１１は、図１０に示すように、流入口３１１及び主燃料室３００と連通している。内部流路８１１のポンプカバー３０の内部側の開口８１３は、内部流路形成部材８１からみてシリンダ１０の中心軸ＣＡ１０の方向とは異なる方向に向かって形成されている。これにより、開口８１３を通る低圧燃料は、ポンプカバー３０の内壁３０３に沿う方向に流れを変えるよう形成されている。
【００６３】
第六実施形態による高圧ポンプ６では、流入口３１１を通る低圧燃料は、内部流路８１１によって、図１１の矢印Ｆに示すように、ポンプカバー３０の内壁３０３に沿って流れる。これにより、低圧燃料は、主燃料室３００においてポンプボディの周囲を流れる。したがって、第六実施形態は、第一実施形態と同じ効果を奏する。
【００６４】
（第七実施形態）
次に、本発明の第七実施形態による高圧ポンプを図１２に基づいて説明する。第七実施形態は、板状部材を備えていない点及び流入通路形成部材が設けられる位置が第一実施形態と異なる。なお、第一実施形態と実質的に同一の部位には同一の符号を付し、説明を省略する。
【００６５】
第七実施形態による高圧ポンプ７が有する「誘導手段」及び「外部流入通路形成部材」としての燃料流入部９１は、図１２に示すように、シリンダ１０を挟んで上ポンプボディ１８が有する吸入通路１８４が形成される位置とは反対側に設けられている。燃料流入部９１が形成する外部流入通路９１２は、ポンプカバー３０が有する流入口９１１を介してポンプカバー３０の内部と連通している。
【００６６】
第七実施形態による高圧ポンプ７では、流入口９１１を通って主燃料室３００に流入する低圧燃料は、図１２の矢印Ｆに示すように、吸入通路１８４に向かってポンプボディの周囲を流れる。ポンプボディの周囲を流れた低圧燃料は、吸入通路１８４を通って加圧室１２０に吸入される。これにより、第七実施形態は、第一実施形態と同じ効果を奏する。
【００６７】
（第八実施形態）
次に、本発明の第八実施形態による高圧ポンプを図１３に基づいて説明する。第八実施形態は、板状部材の代わりに螺旋状部材を備える点が第一実施形態と異なる。なお、第一実施形態と実質的に同一の部位には同一の符号を付し、説明を省略する。
【００６８】
第八実施形態による高圧ポンプは、図１３に示す「誘導手段」としての螺旋状部材９６をポンプカバー３０の内部に収容している。螺旋状部材９６の一方の端部９６１は、流入口３１１の近傍に設けられている。また、他方の端部９６２は、パルセーションダンパ３２の近傍に設けられている。流入口３１１から主燃料室３００に流入する低圧燃料は、螺旋状部材９６の形状に沿って一方の端部９６１から他方の端部９６２に向かってシリンダ１０や加圧室形成部材１２を収容するポンプボディの周囲を回転しながら流れる。なお、図１３には、螺旋状部材９６に対するシリンダ１０の位置を二点鎖線によって示している。
【００６９】
第八実施形態による高圧ポンプでは、流入口３１１を通って主燃料室３００に流入する低圧燃料は、螺旋状部材９６の形状に沿って主燃料室３００を流れる。これにより、低圧燃料は、ポンプボディの周囲を流れる。したがって、第八実施形態は、第一実施形態と同じ効果を奏する。
【００７０】
（他の実施形態）
（ア）上述の実施形態では、ポンプカバーの内部にパルセーションダンパが収容されるとした。しかしながら、パルセーションダンパはなくてもよい。
【００７１】
（イ）第一実施形態では、主燃料室と副燃料室とを連通する連通路は、板状部材からみて流出口側であって流出口の近傍に形成されているとした。しかしながら、連通路が形成される位置はこれに限定されない。
【００７２】
（ウ）第四実施形態では、区画部材は、上ポンプボディのパルセーションダンパ側の端部に支持されるとした。しかしながら、区画部材を支持する部位はこれに限定されない。ポンプカバーに固定されてもよいし、パルセーションダンパに固定されてもよい。
【００７３】
（エ）第一実施形態では、板状部材は、流入口の近傍に設けられるとした。第二〜四実施形態では、板状部材は、流入口が形成される部位と流出口が形成される部位との間に設けられるとした。しかしながら、板状部材が設けられる位置はこれに限定されない。ポンプカバーの内部に流入する燃料がシリンダの周囲を流れるように、ポンプカバーの内部の一組の隣り合う領域の間の燃料の流れを遮断するよう設けられればよい。
【００７４】
（オ）第五実施形態では、燃料流入部の中心軸はシリンダの中心軸上の点を中心とする仮想円の接線方向に延びるよう設けられるとした。しかしながら、燃料流入部が設けられる位置はこれに限定されない。燃料流入部の中心軸とシリンダの中心軸とがねじれの位置にあるよう燃料流入部が設けられればよい。
【００７５】
（カ）第七実施形態では、燃料流入部は、吸入通路とは反対側に設けられるとした。しかしながら、燃料流入部が設けられる位置はこれに限定されない。吸入通路から離れた位置であって、主燃料室の燃料がポンプボディの周囲に滞留する時間が比較的長くなるような位置に設けられればよい。
【００７６】
（キ）第一、三、五〜八実施形態では、ポンプカバーの内部を第一燃料室と第二燃料室とに区画する「区画部材」としての環状部材を設けられていない。しかしながら、これらの実施形態で「区画部材」を設けてもよい。
【００７７】
以上、本発明はこのような実施形態に限定されるものではなく、その要旨を逸脱しない範囲で種々の形態で実施可能である。
【符号の説明】
【００７８】
１、２、３、４、５、６・・・高圧ポンプ、
１０          ・・・シリンダ、
１２          ・・・加圧室形成部材、
１２０        ・・・加圧室、
１４          ・・・プランジャ、
３０          ・・・ポンプカバー、
３１１、７１１・・・流入口、
３５          ・・・板状部材（誘導手段、遮蔽部材）
４０          ・・・吸入弁部（燃料調整部）、
５０          ・・・電磁駆動部（燃料調整部）、
６０          ・・・吐出弁部（吐出部）。
【図１】
0006260478.tif 000002
【図２】
0006260478.tif 000003
【図３】
0006260478.tif 000004
【図４】
0006260478.tif 000005
【図５】
0006260478.tif 000006
【図６】
0006260478.tif 000007
【図７】
0006260478.tif 000008
【図８】
0006260478.tif 000009
【図９】
0006260478.tif 000010
【図１０】
0006260478.tif 000011
【図１１】
0006260478.tif 000012
【図１２】
0006260478.tif 000013
【図１３】
0006260478.tif 000014